(57)【要約】【課題】パイプ保持部に対してホースと、該ホースに接続されている第１散布パイプと、該第１散布パイプに接続される第２散布パイプとを、保持するための保持構造を、小型で使い勝手を良くする。【解決手段】背負い式動力噴霧機１０のパイプ保持部４０は、断面略Ｕ字状のホース収納凹部４２と、断面略Ｕ字状の大きい第１パイプ収納凹部４３と、断面略Ｕ字状の小さい第２パイプ収納凹部４４と、該ホース収納凹部の開口４２ａ及び該第１パイプ収納凹部の開口４３ａを開閉するベルト４５とを含む。該ホース収納凹部は、ポンプ１５の吐出口に接続されるホース１２の一部を収納可能である。該第１パイプ収納凹部は、該ホースに接続される大径の第１散布パイプ１３の一部を収納可能である。該第２パイプ収納凹部は、該第１散布パイプに接続される小径の第２散布パイプ１４の一部を収納可能である。【選択図】図２
2015112057.tif 000002
【特許請求の範囲】
【請求項１】
液タンクの中の液体を動力駆動式のポンプを介して散布する複数の散布パイプを、保持するためのパイプ保持部を備えた背負い式動力噴霧機であって、
前記パイプ保持部は、
前記複数の散布パイプのなかの、前記ポンプの吐出口に接続されるホースの一部を収納するための断面略Ｕ字状のホース収納凹部と、
前記ホースに接続される大径の第１散布パイプの一部を収納するための断面略Ｕ字状の大きい第１パイプ収納凹部と、
前記第１散布パイプに接続される小径の第２散布パイプの一部を収納するための断面略Ｕ字状の小さい第２パイプ収納凹部と、
前記第１パイプ収納凹部及び前記ホース収納凹部の各開口を開閉するベルトとを含み、
前記第１パイプ収納凹部の開口は、前記ホース収納凹部の開口に隣接し、
前記第２パイプ収納凹部の開口は、前記第１パイプ収納凹部の底面の後ろに位置するとともに、前記第１パイプ収納凹部の内部に貫通し、
前記第２パイプ収納凹部の開口又はその近傍には、前記第２パイプ収納凹部に収納されている前記第２散布パイプを引き抜き可能に抜け止めするための抜止め凸部が形成され、
前記ベルトは、前記ホース収納凹部内に前記ホースを保持可能に前記ホース収納凹部の開口を塞ぐとともに、前記第１パイプ収納凹部内に前記第１散布パイプを保持可能に前記第１パイプ収納凹部の開口を塞ぐ部材であることを特徴とする背負い式動力噴霧機。
【請求項２】
前記液タンクを設けるためのフレームを有し、
該フレームは、前記パイプ保持部に保持された少なくとも前記第１散布パイプの下端を受けるための受け部を有し、
前記受け部は、上に開口した凹状に形成されていることを特徴とする請求項１記載の背負い式動力噴霧機。
【請求項３】
前記ホース収納凹部の前記開口から底面までの奥行きは、前記ホースの外径よりも大きく設定されていることを特徴とする請求項１又は請求項２記載の背負い式動力噴霧機。
【発明の詳細な説明】
【技術分野】
【０００１】
本発明は、散布パイプを保持するパイプ保持部を備えた背負い式動力噴霧機に関する。
【背景技術】
【０００２】
背負い式動力噴霧機は、液タンクや動力駆動式ポンプ等の、いわゆる噴霧機本体を作業者が背負いながら、該液タンクの中の液体を散布パイプによって散布するものである。作業者は、散布作業を行わないまま噴霧機本体を背負っている場合、例えば移動中であっても散布パイプを手に持っている必要があり、面倒である。このような課題を解決するために、散布パイプを噴霧機本体に掛ける技術が、特許文献１から知られている。
【０００３】
特許文献１で知られている背負い式動力噴霧機は、背負い枠に上向きの突起を有している。ポンプの吐出口には、ホースによって１つの散布パイプが接続されている。該散布パイプには、ホルダが着脱可能に設けられている。該ホルダのリング部を該突起に上から差し込むことによって、該散布パイプを該背負い枠に保持することができる。
【先行技術文献】
【特許文献】
【０００４】
【特許文献１】特開平１１−２３５１４６号公報
【発明の概要】
【発明が解決しようとする課題】
【０００５】
一般的な背負い式動力噴霧機に採用されるホースは、長いものが多い。該背負い枠に該散布パイプを保持しただけでは、特に移動時に長いホースがふらついてしまう。このように、散布パイプを使用しないときに、ホースを手で押さえながら移動するのでは、手がふさがるだけではなく、面倒である。
【０００６】
また、散布作業によっては、該散布パイプの先に、もう１つの散布パイプ（エクステンションパイプとも言う）を接続して散布することがある。該エクステンションパイプを用いることによって、該散布パイプだけを用いた場合とは異なる、散布作業をすることができる。例えば、多数の噴霧ノズルを備えたエクステンションパイプを用いることによって、液体をより広範囲に散布することができる。
【０００７】
しかし、特許文献１で知られている背負い式動力噴霧機は、背負い枠に１つの散布パイプだけを保持するものであり、エクステンションパイプを保持することはできない。作業者はエクステンションパイプを手で持ち歩くことになり、面倒である。また、背負い式動力噴霧機を保管するときに、エクステンションパイプを別置きにするので、紛失の心配がある。
【０００８】
該背負い枠に対して、散布パイプの他にホースとエクステンションパイプとを保持することが考えられる。しかし、散布パイプとホースとエクステンションパイプ、いわゆる３つの散布パイプの全てを、単に背負い枠に保持するのでは、パイプ保持部が大型になる。また、保持構造によっては、使い勝手が劣ることが考えられる。
【０００９】
本発明は、パイプ保持部に対してホースと、該ホースに接続されている第１散布パイプと、該第１散布パイプに接続される第２散布パイプとを、保持するための保持構造を、小型で使い勝手が良くすることができる技術を、提供することを課題とする。
【課題を解決するための手段】
【００１０】
請求項１に係る発明によれば、液タンクの中の液体を動力駆動式のポンプを介して散布する複数の散布パイプを、保持するためのパイプ保持部を備えた背負い式動力噴霧機であって、前記パイプ保持部は、前記複数の散布パイプのなかの、前記ポンプの吐出口に接続されるホースの一部を収納するための断面略Ｕ字状のホース収納凹部と、前記ホースに接続される大径の第１散布パイプの一部を収納するための断面略Ｕ字状の大きい第１パイプ収納凹部と、前記第１散布パイプに接続される小径の第２散布パイプの一部を収納するための断面略Ｕ字状の小さい第２パイプ収納凹部と、前記第１パイプ収納凹部及び前記ホース収納凹部の各開口を開閉するベルトとを含み、前記第１パイプ収納凹部の開口は、前記ホース収納凹部の開口に隣接し、前記第２パイプ収納凹部の開口は、前記第１パイプ収納凹部の底面の後ろに位置するとともに、前記第１パイプ収納凹部の内部に貫通し、前記第２パイプ収納凹部の開口又はその近傍には、前記第２パイプ収納凹部に収納されている前記第２散布パイプを引き抜き可能に抜け止めするための抜止め凸部が形成され、前記ベルトは、前記ホース収納凹部内に前記ホースを保持可能に前記ホース収納凹部の開口を塞ぐとともに、前記第１パイプ収納凹部内に前記第１散布パイプを保持可能に前記第１パイプ収納凹部の開口を塞ぐ部材であることを特徴とする背負い式動力噴霧機が提供される。
【００１１】
請求項２に記載のごとく、好ましくは、前記液タンクを設けるためのフレームを有し、該フレームは、前記パイプ保持部に保持された少なくとも前記第１散布パイプの下端を受けるための受け部を有し、前記受け部は、上に開口した凹状に形成されている。
【００１２】
請求項３に記載のごとく、好ましくは、前記ホース収納凹部の前記開口から底面までの奥行きは、前記ホースの外径よりも大きく設定されている。
【発明の効果】
【００１３】
請求項１に係る発明では、パイプ保持部は、断面略Ｕ字状のホース収納凹部と、断面略Ｕ字状の大きい第１パイプ収納凹部と、断面略Ｕ字状の小さい第２パイプ収納凹部と、該第１及び第２ホース収納凹部の各開口を開閉するベルトとを含む。該ホース収納凹部は、ポンプの吐出口に接続されるホースの一部を収納可能である。該第１パイプ収納凹部は、ホースに接続される大径の第１散布パイプの一部を収納可能である。該第２パイプ収納凹部は、第１散布パイプに接続される小径の第２散布パイプの一部を収納可能である。
【００１４】
第１パイプ収納凹部の開口は、ホース収納凹部の開口に隣接している。このため、ホース収納凹部の開口と第１パイプ収納凹部の開口とを、単一のベルトによって、簡単に且つ迅速に開閉することができる。従って、パイプ保持部に対してホースと、該ホースに接続されている第１散布パイプとを、簡単に且つ迅速に保持、取り出しをすることができる。しかも、第１散布パイプを使用しないときに、ホースをパイプ保持部に保持することにより、該ホースを手で押さえながら移動する必要がない。
【００１５】
また、第２パイプ収納凹部の開口は、第１パイプ収納凹部の底面の後ろに位置するとともに、第１パイプ収納凹部の内部に貫通している。第２散布パイプは、第１パイプ収納凹部の奥側に抜止め凸部によって保持される。
【００１６】
さらには、ホース収納凹部と第１パイプ収納凹部と第２パイプ収納凹部とを、１箇所に集約して合理的に配列したので、パイプ保持部を小型化できる。しかも、パイプ保持部に対して、ホースと第１散布パイプと第２散布パイプ、いわゆる３つの散布パイプの全てを、スペース効率よく収納することができる。
【００１７】
請求項２に係る発明では、液タンクを設けるためのフレームに、上に開口した凹状の受け部を有する。該受け部は、パイプ保持部に保持された少なくとも第１散布パイプの下端を受けることが可能である。このため、パイプ保持部とフレームとの２箇所によって、第１散布パイプを一層安定して保持することができる。しかも、使い終わった第１散布パイプの下端から垂れた液体を、受け部によって受けることができる。該垂れた液体によって周囲を汚す心配がない。
【００１８】
請求項３に係る発明では、ホース収納凹部の開口から底面までの奥行きは、ホースの外径よりも大きい。このため、ホース収納凹部の開口をベルトによって塞いだときに、ホース収納凹部に収納されているホースを該ベルトによって押し潰す心配はない。
【図面の簡単な説明】
【００１９】
【図１】本発明に係る背負い式動力噴霧機を作業者が背負って噴霧作業をしている状態の説明図である。
【図２】図１に示される背負い式動力噴霧機の右後部の斜視図である。
【図３】図２に示される液タンクを右後方から見た斜視図である。
【図４】図３に示されたパイプ保持部を拡大した図である。
【図５】図４に示されたパイプ保持部の平面図である。
【図６】図３に示されたパイプ保持部に複数の散布パイプを保持した構成の斜視図である。
【図７】図６に示されたパイプ保持部の平面図である。
【図８】図２に示されたフレームの受け部によって第１散布パイプを受ける構成の説明図である。
【発明を実施するための形態】
【００２０】
本発明を実施するための形態を添付図に基づいて以下に説明する。なお、「前」、「後」、「左」、「右」、「上」、「下」は背負い式動力噴霧機を背負った作業者から見た方向に従う。
【実施例】
【００２１】
実施例に係る背負い式動力噴霧機について説明する。図１は、作業者Ｍｎが背負い式動力噴霧機１０を背負って噴霧作業をしていることを示している。
【００２２】
図１に示されるように、背負い式動力噴霧機１０は、液タンク１１と、該液タンク１１の中の液体を複数の散布パイプ１２〜１４に吐出するポンプ１５と、該ポンプ１５を駆動するエンジン１６とを一体的に組み付け、作業者Ｍｎが背負って噴霧作業をすることが可能な作業機である。該背負い式動力噴霧機１０のことを、以下、「動力噴霧機１０」と略称する。
【００２３】
詳しく述べると、図１及び図２に示されるように、該液タンク１１と該ポンプ１５と該エンジン１６とは、側面視略Ｌ字状のフレーム１７に組み付けられている。該フレーム１７は、背負い枠とも言われており、作業者Ｍｎによって背負われる前側の略縦板状の背負い部２１と、該背負い部２１の下端から後方へ延びた略平板状の横板部２２とからなる。
【００２４】
該液タンク１１は、前面１１ａを背負い部２１の背面に取り付けられるとともに、下面をステー２３によって横板部２２の上面２２ａに取り付けられている。該ポンプ１５は、液タンク１１の下方のなかの、作業者Ｍｎによって背負われる前側に位置し、横板部２２の上面２２ａに取り付けられている。該エンジン１６は、液タンク１１の後下方に且つポンプ１５の後方に位置し、横板部２２の上面２２ａに取り付けられている。
【００２５】
作業者Ｍｎは、左右の背負いベルト１８によって動力噴霧機１０を背負う。該左右の背負いベルト１８の一端部１８ａは、フレーム１７の前下部に取り付けられている。該左右の背負いベルト１８の他端部１８ｂは、液タンク１１の前面１１ａの上部、つまり、作業者によって背負われる面１１ａに取り付けられている。
【００２６】
該複数の散布パイプ１２〜１４は、ポンプ１５の吐出口１５ａに接続されるホース１２と、該ホース１２に接続される大径の第１散布パイプ１３と、該第１散布パイプ１３に接続される小径の第２散布パイプ１４とである。
【００２７】
該第１散布パイプ１３は、金属製の丸パイプによって構成される。該第２散布パイプ１４は、エクステンションパイプとも言われており、金属製の丸パイプによって構成される。該第１散布パイプ１３と該第２散布パイプ１４は、使用しないときにはパイプ保持部４０に保持されている。該パイプ保持部４０は、液タンク１１に取り付けられている。
【００２８】
該第２散布パイプ１４を使用するときには、第１散布パイプ１３の先端に該第２散布パイプ１４の端をねじ込んで取り付ける。該第２散布パイプ１４は、多数の噴霧ノズル３２を備える。このため、液体を、より広範囲に散布することができる。
【００２９】
図２及び図３に示されるように、該パイプ保持部４０は、複数の散布パイプ１２〜１４を保持することが可能な構成であり、液タンク１１の右後部又は左後部に位置している。第１散布パイプ１３による散布作業性を考慮すると、該パイプ保持部４０は、作業者Ｍｎの利き手側に位置することが好ましい。より詳しく述べると、図３〜図５に示されるように、該パイプ保持部４０は、保持本体４１とホース収納凹部４２と第１パイプ収納凹部４３と第２パイプ収納凹部４４とベルト４５とを含む。
【００３０】
液タンク１１の外面には、後方へ突出した取付け座４６が形成されている。該取付け座４６の後面４６ａに対し、樹脂製の該保持本体４１が重ねられ且つビス等の締結部材（図示せず）によって取り付けられている。該保持本体４１の上面及び下面は、略水平な平坦面に形成されている。該保持本体４１の後面４１ａは、液タンク１１の幅中央側から幅方向外側へ向かうにつれて前方へ傾斜した、傾斜面に形成されている。ここで、該後面４１ａは、図２に示されるフレーム１７の背負い部２１に対して反対側の面のことである。
【００３１】
該パイプ保持部４０について、図４〜図７に基づき、さらに詳しく説明する。該各収納凹部４２〜４４は、上下方向に貫通した平面視略Ｕ字状の溝によって構成されており、樹脂製の保持本体４１に一体に形成される。該各収納凹部４２〜４４の開口４２ａ〜４４ａは、全て保持本体４１の後面４１ａを向いている。該各収納凹部４２〜４４の底面４２ｂ〜４４ｂは、前方を向いている。
【００３２】
該ホース収納凹部４２は、ホース１２の一部を収納することが可能な凹部であり、平面視半円形状の底面４２ｂを有する。保持本体４１に対する該ホース収納凹部４２の位置は、液タンク１１の幅中央寄りに設定することが好ましい。該ホース収納凹部４２の幅Ｗｈは、ホース１２を容易に出し入れ可能で且つ該ホース１２を安定して保持することが可能な大きさに設定、つまりホース１２の外径Ｄｈよりも若干大きく設定されている（Ｗｈ＞Ｄｈ）。
【００３３】
該第１パイプ収納凹部４３は、大径の第１散布パイプ１３の一部を収納することが可能な大きい凹部であり、平面視半円形状の底面４３ｂを有する。該第１パイプ収納凹部４３の開口４３ａは、ホース収納凹部４２の開口４２ａに隣接、好ましくは該ホース収納凹部４２の開口４２ａに対して液タンク１１の幅方向外側寄りに位置している。該第１パイプ収納凹部４３の幅Ｗ１は、第１散布パイプ１３を容易に出し入れ可能な程度の大きさに設定、つまり第１散布パイプ１３の外径Ｄ１よりも若干大きく設定されている（Ｗ１＞Ｄ１）。
【００３４】
該第２パイプ収納凹部４４は、小径の第２散布パイプ１４の一部を収納することが可能な小さい凹部であり、平面視半円形状の底面４４ｂを有する。該第２パイプ収納凹部４４の開口４４ａは、第１パイプ収納凹部４３の底面４３ｂの後ろ（図３に示される液タンク１１の前面１１ａ側）に位置し且つ隣接するとともに、該第１パイプ収納凹部４３の内部４３ｃに貫通している。つまり、該第２パイプ収納凹部４４の開口４４ａは、連通溝４７によって、第１パイプ収納凹部４３の内部４３ｃに連通している。該連通溝４７は、保持本体４１に上下貫通している。該第２パイプ収納凹部４４の幅Ｗ２は、第２散布パイプ１４を容易に出し入れ可能な程度の大きさに設定、つまり第２散布パイプ１４の外径Ｄ２よりも若干大きく設定されている（Ｗ２＞Ｄ２）。該連通溝４７の幅Ｗ３は、該第２パイプ収納凹部４４の幅Ｗ２と同じ又は若干大きく設定されている（Ｗ３≧Ｗ２）。なお、該連通溝４７の有無は任意である。
【００３５】
該第２パイプ収納凹部４４の開口４４ａ又はその近傍には、該第２パイプ収納凹部４４に収納されている第２散布パイプ１４を引き抜き可能に抜け止めするための左右の抜止め凸部５１，５１が形成されている。該左右の抜止め凸部５１，５１は、該第２パイプ収納凹部４４の開口４４ａを狭めることによって形成されている。つまり、該左右の抜止め凸部５１，５１は、頂点が互いに向かい合う平面視略三角形状に形成されている。該第２パイプ収納凹部４４の開口４４ａの幅Ｗ４、つまり該左右の抜止め凸部５１，５１間の間隔Ｗ４は、第２散布パイプ１４の外径Ｄ２よりも若干小さい（Ｗ４＜Ｄ２）。
【００３６】
なお、該左右の抜止め凸部５１，５１は、いずれか一方だけの構成であってもよい。その場合であっても、該第２パイプ収納凹部４４の開口４４ａの幅はＷ４である。
【００３７】
第２パイプ収納凹部４４に対し、次の手順によって、第２散布パイプ１４の一部を収納し且つ保持することができる。先ず、図４及び図５に示されるように、第１散布パイプ１３から外された状態の該第２散布パイプ１４を垂直に向けて、第１パイプ収納凹部４３の内部４３ｃに挿入し、さらに、左右の抜止め凸部５１，５１に押し込む。この結果、樹脂製の保持本体４１の一部が弾性変形することにより、該左右の抜止め凸部５１，５１が押し広げられる。該第２散布パイプ１４は、左右の抜止め凸部５１，５１を押し広げつつ、該第２パイプ収納凹部４４に入り込む。これで、図６及び図７に示されるように、該第２散布パイプ１４は、第２パイプ収納凹部４４に縦向き状態の姿勢で収納され且つ保持される。この結果、該第２散布パイプ１４を保持本体４１に保持することができる。
【００３８】
その後、第２パイプ収納凹部４４から該第２散布パイプ１４を取り外すには、該第２散布パイプ１４のなかの、保持本体４１から露出している部分を、第１パイプ収納凹部４３側へ向かって引っ張る。この結果、樹脂製の保持本体４１の一部が弾性変形することにより、該左右の抜止め凸部５１，５１が押し広げられる。該第２散布パイプ１４は、左右の抜止め凸部５１，５１を押し広げつつ、該第２パイプ収納凹部４４から抜け出る。これで、該第２散布パイプ１４を、第２パイプ収納凹部４４から取り外すことができる。
【００３９】
ここで、該第２散布パイプ１４によって左右の抜止め凸部５１，５１を押し広げる力は、第２パイプ収納凹部４４に対して容易に出し入れ可能で、しかも、確実に第２パイプ収納凹部４４に保持することが可能な小さい力に設定される。
【００４０】
該ベルト４５は、ホース収納凹部４２の開口４２ａ及び第１パイプ収納凹部４３の開口４３ａを開閉するための、柔軟性を有した部材である。該ベルト４５は、ホース収納凹部４２内にホース１２を保持可能に該ホース収納凹部４２の開口４２ａを塞ぐとともに、第１パイプ収納凹部４３内に第１散布パイプ１３を保持可能に該第１パイプ収納凹部４３の開口４３ａを塞ぐ部材である。単一のベルト４５によって、ホース１２と第１散布パイプ１３の両方を保持本体４１に保持することができる。
【００４１】
詳しく述べると、該ベルト４５の一端部４５ａは、保持本体４１の幅方向一端部に取り付けられている。保持本体４１に対する該ベルト４５の一端部４５ａの取り付け位置は、液タンク１１の幅中央寄りに設定することが好ましい。該ベルト４５の他端部４５ｂには、掛け止め用孔５２が形成されている。保持本体４１の幅方向他端部に形成されている掛け止め用フック５３に対し、該掛け止め用孔５２は取り外し可能に掛け止められる。
【００４２】
ホース収納凹部４２及び第１パイプ収納凹部４３に対し、次の手順によって、ホース１２及び第１散布パイプ１３の各一部を収納し且つ保持することができる。先ず、図４及び図５に示されるように、ホース１２を垂直に向けてホース収納凹部４２内に挿入するとともに、第１散布パイプ１３を垂直に向けて第１パイプ収納凹部４３内に挿入する。次に、ベルト４５を保持本体４１の後面４１ａに沿わせて引き回し、掛け止め用孔５２を掛け止め用フック５３に引っ掛ける。この結果、図６及び図７に示されるように、ホース収納凹部４２の開口４２ａと第１パイプ収納凹部４３の開口４３ａとがベルト４５によって塞がれる。該第１散布パイプ１３は、ベルト４５によって第１パイプ収納凹部４３の底部４３ｂに押し付けられる。
【００４３】
図５に示されるように、ホース収納凹部４２の開口４２ａから底面４２ｂまでの奥行きＨｈは、ホース１２の外径Ｄｈよりも大きく設定されている（Ｈｈ＞Ｄｈ）。このため、図７に示されるように、ホース収納凹部４２の開口４２ａをベルト４５によって塞いだときに、ホース１２とベルト４５との間には隙間ができる。該ホース収納凹部４２に収納されている該ホース１２を該ベルト４５によって押し潰す心配はない。従って、該ホース１２の耐久性を十分に確保することができる。好ましくは、該奥行きＨｈは、ホース収納凹部４２の幅中心において、開口４２ａから底面４２ｂまでの距離に設定される。
【００４４】
その後、掛け止め用孔５２を掛け止め用フック５３から外すことによって、ホース１２をホース収納凹部４２から抜き取るとともに、第１散布パイプ１３を第１パイプ収納凹部４３から抜き取ることができる。
【００４５】
図２、図８（ａ）及び図８（ｂ）に示されるように、液タンク１１を設けるためのフレーム１７は、上に開口した凹状の受け部６１を有する。図８（ａ）は、該受け部６１に第１散布パイプ１３の下端１３ａを載せた状態を示している。図８（ｂ）は、該受け部６１に第１散布パイプ１３の下端１３ａを載せる前の状態を示している。
【００４６】
詳しく述べると、該受け部６１は、フレーム１７の横板部２２の上面２２ａに形成された窪みによって、構成されている。該受け部６１は、パイプ保持部４０に保持された少なくとも第１散布パイプ１３の下端１３ａを受けることが可能である。このため、パイプ保持部４０とフレーム１７との２箇所によって、第１散布パイプ１３を一層安定して保持することができる。しかも、使い終わった第１散布パイプ１３の下端１３ａから垂れた液体を、受け部６１によって受けることができる。該垂れた液体によって周囲を汚す心配がない。
【００４７】
上記説明をまとめると、次の通りである。図５及び図７に示されるように、第１パイプ収納凹部４３の開口４３ａは、ホース収納凹部４２の開口４２ａに隣接している。このため、ホース収納凹部４２の開口４２ａと第１パイプ収納凹部４３の開口４３ａとを、単一のベルト４５によって、簡単に且つ迅速に開閉することができる。従って、パイプ保持部４０に対してホース１２と、該ホース１２に接続されている第１散布パイプ１３とを、簡単に且つ迅速に保持、取り出しをすることができる。しかも、第１散布パイプ１３を使用しないときに、ホース１２をパイプ保持部４０に保持することにより、該ホース１２を手で押さえながら移動する必要がない。
【００４８】
また、第２パイプ収納凹部４４の開口４４ａは、第１パイプ収納凹部４３の底面４３ｂの後ろに位置するとともに、第１パイプ収納凹部４３の内部４３ｃに貫通している。第２散布パイプ１４は、第１パイプ収納凹部４３の奥側に左右の抜止め凸部５１，５１によって保持される。
【００４９】
さらには、ホース収納凹部４２と第１パイプ収納凹部４３と第２パイプ収納凹部４４とを、１箇所に集約して合理的に配列したので、パイプ保持部４０を小型化できる。しかも、パイプ保持部４０に対して、ホース１２と第１散布パイプ１３と第２散布パイプ１４、いわゆる３つの散布パイプ１２〜１４の全てを、スペース効率よく収納することができる。
【産業上の利用可能性】
【００５０】
本発明の背負い式動力噴霧機１０は、広い農場で散布作業するものに好適である。
【符号の説明】
【００５１】
１０    背負い式動力噴霧機
１１    液タンク
１２    ホース（散布パイプ）
１３    第１散布パイプ（散布パイプ）
１３ａ  下端
１４    第２散布パイプ（散布パイプ）
１５    ポンプ
１５ａ  ポンプの吐出口
１６    エンジン
１７    フレーム
４０    パイプ保持部
４２    ホース収納凹部
４２ａ  開口
４３    第１パイプ収納凹部
４３ａ  開口
４３ｂ  底面
４３ｃ  内部
４４    第２パイプ収納凹部
４４ａ  開口
４５    ベルト
５１    抜止め凸部
６１    受け部
Ｄｈ    ホースの外径
Ｈｈ    ホース収納凹部の開口から底面までの奥行き
Ｍｎ    作業者
【図１】
2015112057.tif 000003
【図２】
2015112057.tif 000004
【図３】
2015112057.tif 000005
【図４】
2015112057.tif 000006
【図５】
2015112057.tif 000007
【図６】
2015112057.tif 000008
【図７】
2015112057.tif 000009
【図８】
2015112057.tif 000010